(57)【特許請求の範囲】
【請求項１】
非膨張式のペッサリー装置を包む方法であって、
ａ．外壁と、内部と、前記内部への外部開口部と、を有するペッサリー装置を提供する工程と、
ｂ．長手方向軸を有するオーバーラップを提供する工程と、
ｃ．前記ペッサリー装置に前記オーバーラップを被せる工程であって、前記オーバーラップはオーバーラップ余剰部を有する、という工程と、
ｄ．前記オーバーラップ余剰部を前記ペッサリー装置内部に位置付ける工程と、を含む、方法。
【請求項２】
前記オーバーラップ余剰部を前記ペッサリー装置内部に位置付ける工程は、熱、真空、空気、接着剤、及び／又は機械的な手段の使用を含む、請求項１に記載の方法。
【請求項３】
前記オーバーラップ余剰部を前記ペッサリー装置内部に維持する工程を更に含む、請求項１〜２のいずれか一項に記載の方法。
【請求項４】
摩擦の使用、接着剤の使用、熱の使用、機械的な手段の使用、及び／又はこれらの組み合わせの使用を更に含む、請求項３に記載の方法。
【請求項５】
前記ペッサリー装置に前記オーバーラップを被せる工程は、前記装置の前記長手方向軸の周りを前記オーバーラップシートで包む工程を更に含む、請求項１〜４のいずれか一項に記載の方法。
【請求項６】
前記ペッサリー装置に前記オーバーラップを被せる工程は、前記ペッサリー装置を前記オーバーラップの前記長手方向軸に沿って移動させる工程を更に含む、請求項１〜４のいずれか一項に記載の方法。
【請求項７】
前記方法は、前記工程ｂの前に、オーバーラップの中空構造体を形成する工程と、前記オーバーラップの中空構造体を反転させる工程と、を更に含む、請求項１〜６のいずれか一項に記載の方法。
【請求項８】
前記オーバーラップ余剰部は、前記長手方向軸に沿ってその２つの端部のうち少なくとも１つで、少なくとも０．５ｍｍだけ前記装置を超える、請求項１〜７のいずれか一項に記載の方法。
【請求項９】
前記オーバーラップ余剰部を前記ペッサリー装置内部に位置付ける工程の前に、前記オーバーラップ余剰部を束にする工程を更に含む、請求項１〜８のいずれか一項に記載の方法。
【請求項１０】
前記オーバーラップ余剰部を前記ペッサリー装置内部の内側に位置付ける工程は、熱及び／又は接着剤を使用して前記装置の端部を封止する工程を更に含む、請求項１〜９のいずれか一項に記載の方法。
【請求項１１】
前記ペッサリー装置の前記内部への外部開口部は、係合部材を更に有する、請求項１〜１０のいずれか一項に記載の方法。
【請求項１２】
前記内部係合部材への前記外部開口部は、三角形、半円、四分円、及び／又は点を有する幾何学的形状を含む、請求項１１に記載の方法。
【請求項１３】
前記オーバーラップ余剰部を前記ペッサリー装置内部に位置付ける工程が、前記オーバーラップを前記内部係合部材に開口する前記ペッサリー装置と係合させる工程を含む、請求項１１に記載の方法。
【請求項１４】
前記ペッサリー装置に前記オーバーラップを被せる工程は、摩擦の使用、接着剤の使用、熱の使用、機械的な手段の使用、及び／又はこれらの組み合わせを使用する少なくとも１以上の継ぎ目を含む、請求項１〜１３のいずれか一項に記載の方法。
【発明の詳細な説明】
【技術分野】
【０００１】
本出願は、女性の失禁の軽減のためにペッサリー装置をオーバーラップで被覆する方法に関する。より具体的には、本発明は、ペッサリー装置を上包みする方法に関する。
【背景技術】
【０００２】
身体の通常の筋肉機能が意図しない尿の漏れを防止できなくなることによって起こる尿失禁は女性、特に高齢の女性における一般的な疾患である。女性の５０％までもが不随意的な尿漏れを時折経験しており、女性の約２５％がこの問題に対処するためにいずれかの時点で医師の診察を受けているものと推定されている。最も一般的なタイプの尿失禁である腹圧性尿失禁は、運動、咳、くしゃみ、笑いなどによる腹圧の上昇によって引き起こされる不随意的な尿漏れである。腹圧性尿失禁が起きる場合、多くの場合、尿道及び膀胱頸部が骨盤底の高さよりも低い位置に異常に下降することによって尿失禁が引き起こされる。多くの女性が失禁に対処するために生理用ナプキン又はおむつを着用し、ある程度の女性は外科手術に頼っている。
【０００３】
ペッサリー装置は女性における不随意的な排尿を軽減することが知られている。かかるペッサリー装置は、ユーザーが挿入及び／又は取り出しする間不快である可能性がある。ペッサリー装置は、材料の表面特性に依存して、ペッサリー装置を取り出すために追加的な力を必要とする場合がある。
【発明の概要】
【発明が解決しようとする課題】
【０００４】
結果として、使用中に、改善された快適性を備えたペッサリー装置に対する必要性がある。快適性を改善するための１つの方法は、装置と身体との接触層となるオーバーラップで装置を包むことである。このように、挿入、使用、及び除去の際の快適性を増加するためにペッサリー装置を上包みする方法に対する必要性がある。
【０００５】
更に、取り出しプロセスの間の快適性が改善されたペッサリー装置に対する必要が残っている。
【課題を解決するための手段】
【０００６】
ペッサリー装置を包む方法が提供される。この方法は、外壁と、内部と、内部への外部開口部と、長手方向軸とを有するペッサリー装置を提供する工程を含む。この方法は、長手方向軸を有するオーバーラップを提供する工程も含み、オーバーラップは、中空構造体を形成する。この方法は、ペッサリー装置の少なくとも一部をオーバーラップの中空構造体の内側に定置する工程を更に含み、オーバーラップは、ペッサリー装置に被さり、かつ長手方向軸に沿ってペッサリー装置を超えて、オーバーラップ余剰部を生成する。オーバーラップ余剰部は、包まれたペッサリー装置を提供するようにペッサリー装置内部に位置する。
【図面の簡単な説明】
【０００７】
本明細書の末尾には、本発明の主題を具体的に特定すると共に個別に請求する「特許請求の範囲」が添付されているが、本発明は以下の説明を付属の図面と共に参照することで更に容易に理解されると考えられる。
【図１】方法の流れ図表示である。
【図２Ａ】ペッサリー装置の側面図である。
【図２Ｂ】図２Ｂのペッサリー装置の斜視図である。
【図３】ペッサリー装置の断面図である。
【図４】ペッサリー装置の断面図である。
【図５】ペッサリー装置の断面図である。
【図６】ペッサリー装置の斜視図である。
【図７】ペッサリー装置の側面図である。
【図８】オーバーラップ上のペッサリー装置の平面図である。
【図９】オーバーラップの内側のペッサリー装置の斜視図である。
【図１０】オーバーラップの内側のペッサリー装置の斜視図である。
【図１１】Ａ〜Ｄは、内部係合部材への外部開口部の例を示す。
【図１２】図２のペッサリーを収容する、ペッサリーのアプリケータの側面図である。
【発明を実施するための形態】
【０００８】
本明細書で使用する場合、「アプリケータ」とは、哺乳類の外口へのペッサリー装置の挿入を容易にする装置又は器具を指す。代表的なアプリケータとしては、例えば、テレスコープ式アプリケータ、チューブ・アンド・プランジャ式アプリケータ、及び、コンパクトアプリケータなどが挙げられる。
【０００９】
本明細書で使用する場合、「被せる」又は「被せること」という用語は、ペッサリー装置の表面の一部をオーバーラップで被覆することを指す。オーバーラップで被覆されるペッサリー装置の表面の一部は、ペッサリー装置の長さを長手方向軸に沿って測定し、その数に、長手方向軸に沿ったその最大面積におけるペッサリー装置の周長の計算を掛けることによって計算される面積と少なくとも等価である。
【００１０】
本明細書で使用する場合、「結合した」又は「取り付けた」という用語は、第１の要素を第２の要素に直接固着することによって第１の要素を第２の要素に直接固定する構成、第１の要素を中間部材に固着し、次にその中間部材を第２の要素に固着することによって第１の要素を第２の要素に間接的に固定する構成、及び第１の要素が第２の要素と一体化している構成、すなわち第１の要素が本質的に第２の要素の一部分である構成を包含する。
【００１１】
本明細書で使用する場合、「非膨張式」という用語は、使用前又は使用中に膨張しない装置、例えば、使用前又は使用中に実質的に寸法が増加しない装置を指す。例えば、非膨張式装置は、直径及び／又は容積が増加しない。対称的に、本明細書で使用する場合、「膨張式」は、寸法若しくは容積が使用前若しくは使用中に増加する装置であり、例えば、直径及び／若しくは長さが増加し、繊維性若しくは吸収性ゲル化材料構造体内に流体を吸収する、又は別の方法で、例えば、拡張、吸収、機械的、又は他の手段によって、第１の寸法若しくは容積から、第２の寸法若しくは容積に変化する装置を指す。体温で生じる可能性のあるいずれかの熱膨張による、非膨張式装置へのごくわずかな変化は「膨張」とは考えられない。
【００１２】
本明細書で用いる場合、ペッサリー装置、又はより詳細には「失禁用ペッサリー装置」とは、女性の尿失禁の頻度及び／又は程度を低減するために膣内に定置するように、特に設計、構成、及び／又は適応された装置を指す。「ペッサリー装置」は、尿の漏れの軽減、並びに／又は、子宮脱、及び／若しくは膀胱脱を支持する目的のための、任意の種類の実質的に非吸収性の構造体を含むことができる。ペッサリー装置は、生理用タンポンは含まない。
【００１３】
本明細書で使用する場合、「膣管」という用語は、ヒトの女性の体の外陰部内の内生殖器を指す。本明細書で使用する場合、「膣管」又は「膣内」という用語は、膣の入口（膣括約筋と呼ばれることもある）と子宮頸管との間に位置付けられる空間を指すことを意図する。
【００１４】
本発明は、ペッサリー装置をオーバーラップで包む方法を目的とする。ペッサリー装置は、外壁と、内部と、内部への外部開口部と、長手方向軸とを有する。オーバーラップは、長手方向軸を有し、オーバーラップは、中空構造体を形成する。ペッサリー装置の少なくとも一部はオーバーラップの中空構造体の内側に定置され、オーバーラップは、ペッサリー装置に被さり、かつ長手方向軸に沿ってペッサリー装置を超えて、オーバーラップ余剰部を生成する。オーバーラップ余剰部は、ペッサリー装置内部に位置する。
【００１５】
ペッサリー装置は、上部、下部、中部、上部の圧力領域、下部の圧力領域、最大直径、最小直径、上部から中部まで延在する傾斜部、中部から下部まで延在する傾斜部、長手方向軸、及び横方向軸を含む。ペッサリー装置は、長手方向軸を中心に対称的であってもよく、例えば、底部が円形であり、長手方向軸を中心に対称的である実施例を含む。ペッサリー装置は、外壁と、内壁によって画定される、領域内が中空である内部とを有することができる。中空領域は、一方の端部又は両方の端部に設けることができる。加えて、ペッサリー装置は、中実である内部の一部分を有することができる。ペッサリー装置は使用経験中に寸法が変わらない。すなわち、ペッサリー装置は、ユーザーによる挿入前、並びに使用中及び取り出し中で、寸法及び直径が同じである。
【００１６】
ペッサリー装置は、一体型の構成体とすることができる。例えば、ペッサリー装置は、ペッサリー装置の外面全体を画定する、連続的な外側シェルを含むことができる。外側シェルは平滑又は非平滑とすることができる。外側シェルは、例えば、穴、孔、又は他の好適な外部開口部を含むことなどによって、流体に対して透過性であってもよい。あるいは、外側シェルは、流体が装置に入ることができないように、流体に対して不透過性とすることができる。加えて、ペッサリー装置は、頂部及び／又は底部に外部開口部を含むことができる。ペッサリー装置は頂部及び／又は底部に外部開口部を含むことができ、かつ外側シェルは頂部及び／又は底部の外部開口部を通る以外は、流体が装置に入ることができないように、流体不透過性である。頂部及び又は底部の外部開口部は、内部の係合部材への外部開口部を有してもよい。係合部材は、三角形、半円、四分の一円、及び／又は点を有する幾何学的形状とすることができる。係合部材は、オーバーラップと係合することができる。好適なペッサリー装置は典型的に、従来のペッサリー装置よりも寸法が小さい。例えば、このペッサリー装置は、従来のペッサリー装置のものよりも小さい最大直径、長さ、及び／又は容積を有する。
【００１７】
ペッサリー装置は、オーバーラップによって被覆される。オーバーラップは、非吸収性又は吸収性とすることができ、例えば、天然繊維、合成繊維、又は天然繊維及び合成繊維のブレンドを含む、繊維性不織布材料などの任意の好適な材料を含むことができる。好適な合成繊維は、ポリエステル、ポリオレフィン、ナイロン、ポリプロピレン、ポリエチレン、ポリアクリル、酢酸セルロース、ポリヒドロキシアルカノエート、脂肪族エステル重縮合物、バイコンポーネント繊維、及び／又はそれらの混合物を含むことができる。天然繊維は、例えば、レーヨン、及び非合成であると一般的に既知であるもの、並びに綿などの天然由来のものを含むことができる。繊維は、例えば、円形、三葉、多葉、デルタ、中空、リポン形状、及び／又は任意の他の好適な形状、あるいはこれらの混合物などの、任意の好適な断面形状を有することができる。約１〜約３０マイクロメートルなど、約１０マイクロメートル〜約２５マイクロメートルなどの、例えば、約０．５〜約５０マイクロメートルなどの任意の好適な直径を有する繊維を使用することができる。繊維直径は、任意の好適な手段を使用して測定されてもよい。しかしながら、非円形繊維については、一般的に直径は、非円形繊維と同じ断面積を備えている繊維の直径を参照して決定することができる。
【００１８】
オーバーラップは、任意の様々な手段によってペッサリー装置に結合することができる。オーバーラップは、それ自体に結合することも、又はペッサリー装置に結合することもできる。例えば、オーバーラップの１つの部分は、オーバーラップ又はペッサリー装置の対向する部分に、任意の好適な接着剤、熱、真空、空気、圧力接合、及び／又は機械的な手段を使用して結合することができる。このような接着剤は、取り付けの長さに沿って連続的に延びることができ、又は接着剤は、非連続的な方式で個別の間隔で塗布することができる。熱接合は、熱的接合、溶融結合、又はこのような材料を結合するための任意の他の好適な手段を含む。オーバーラップを、中空構造体を形成するように、オーバーラップ自体に結合することができる。中空構造体は、例えば、円筒、トンネル、チューブ、立方体、及び／又は錐体などの、任意の多次元の幾何学的構造の形態であってもよい。
【００１９】
ペッサリー装置の少なくとも一部は、オーバーラップの中空構造体の内側に定置されてもよい。オーバーラップの中空構造体を、ペッサリー装置に被せてもよい。ペッサリー装置の長手方向軸に沿ってペッサリー装置を包むことによって、オーバーラップをペッサリー装置に被せることができる。ペッサリー装置がオーバーラップ及び／又はオーバーラップの中空構造体の内側に定置されるとき、オーバーラップを、長手方向軸に沿ってペッサリー装置を転がすことによって、ペッサリー装置に被せてもよい。オーバーラップの中空構造体の長手方向軸に沿ってペッサリー装置を移動させることによって、オーバーラップをペッサリー装置に被せてもよい。オーバーラップの中空構造体をペッサリー装置の長手方向軸に沿って移動させることによって、オーバーラップをペッサリー装置に被せてもよい。
【００２０】
オーバーラップは、いずれかの端部において、オーバーラップ余剰部を形成するように、被せられたペッサリー装置を長手方向に、約０．５ｍｍ〜約１００ｍｍ超えてもよい。オーバーラップは、被せられるペッサリー装置を横断軸で、外面から約１ｍｍ〜２００ｍｍだけ超えてもよい。
【００２１】
オーバーラップ余剰部は、１以上の束を形成するようにともに束にされてもよい。束は、空気の使用、ピン、機械的な手段、真空、及び／又はこれらの組み合わせを含む、一般的に既知の任意の手段によって形成されてもよい。オーバーラップの余剰部及び／又は束は、ペッサリー装置内部の内側に位置してもよい。オーバーラップの余剰分及び／又は束は、熱、真空、空気、接着剤、機械的な手段、及び／又はこれらの組み合わせなどの、しかしこれに限定されない、一般的に既知の任意の手段を使用して、ペッサリー装置の空洞の内側に位置してもよい。一実施形態では、２つ以上の束が、ペッサリー装置内部の内側に定置してもよい。
【００２２】
ペッサリー装置内部の内側に定置されると、オーバーラップ余剰部をペッサリー装置内部の内側に維持することができる。摩擦の使用、接着剤の使用、熱の使用、機械的な手段の使用、及び／又はこれらの組み合わせの使用を通して、オーバーラップ余剰部をペッサリー装置内部の内側に維持することができる。
【００２３】
ペッサリー装置を上包みする方法が、流れ図７００として図１に示される。この方法は、外壁と、内部と、内部への外部開口部と、長手方向軸とを有するペッサリー装置を提供する工程７１０を含む。この方法は、長手方向軸を有するオーバーラップを提供する工程７２０も更に含み、オーバーラップは、中空構造体を形成する。ペッサリー装置の少なくとも一部はオーバーラップの中空構造体の内側に定置され、オーバーラップは、ペッサリー装置に被さり、かつ長手方向軸に沿ってペッサリー装置を超えて、オーバーラップ余剰部７３０を生成する。オーバーラップ余剰部を生成するようにオーバーラップが長手方向軸に沿ってペッサリー装置を超える、ペッサリー装置の少なくとも一部をオーバーラップの中空構造体の内側に定置する工程は、中空構造体のオーバーラップの長手方向軸に沿ってペッサリー装置を移動させる工程と、ペッサリー装置の長手方向軸を中心としてオーバーラップシートで包む工程、及び／又はペッサリー装置の長手方向軸に沿ってオーバーラップを移動させるのにともないオーバーラップの中空構造体を反転する工程を含んでもよい。ペッサリー装置を移動させる工程、オーバーラップシートで包む工程、及び／又はオーバーラップを反転する工程は、少なくとも１以上の摩擦、接着剤の使用、熱の使用、機械的な手段の使用、及び／又はこれらの組み合わせを使用する継ぎ目を使用して行われてもよい。オーバーラップ余剰部は、ペッサリー装置内部に位置し、包まれたペッサリー装置７４０を提供する。
【００２４】
図２Ａ及び２Ｂは、ペッサリー装置１０を示す。ペッサリー装置１０は、上部２０、下部３０、中部４０、上部２０の圧力領域５０、下部３０の圧力領域６０、最大直径Ｄ１、最小直径Ｄ２、上部２０から中部４０まで延在する傾斜部８０、中部４０から下部３０まで延在する傾斜部９０、長手方向軸（Ｌ）、及び横方向軸（Ｔ）を含む。図２Ａ及び図２Ｂに示されるように、ペッサリー装置１０は、凸部１１０を含む頂部１００、凸部１３０を含む底部１２０と、凹部１５０を含む側部１４０を有することができる。ペッサリー装置は、長手方向軸を中心に対称的であってもよく、例えば、底部が円形であり、長手方向軸を中心に対称的である実施例を含む。ペッサリー装置は、最小直径Ｄ２より大きい第３の直径Ｄ３を含んでもよく、凸状部分１１０は最大直径Ｄ１と位置合わせされて圧力領域５０を提供することができ、凸状部分１３０は最大直径Ｄ１と位置合わせされて圧力領域６０を提供することができる。更に、凹状部分１５０は、最小直径Ｄ２と位置合わせされて可撓性領域１６０を形成することができる。
【００２５】
図３は、図２の線３−３に沿って取られたペッサリー装置１０を示す。ペッサリー装置１０は、上部２０、下部３０、中部４０、上部２０の圧力領域５０、下部３０の圧力領域６０、最大直径Ｄ１、最小直径Ｄ２、上部２０から中部４０まで延在する傾斜部８０、中部４０から下部３０まで延在する傾斜部９０、及び長手方向軸（Ｌ）を含む。図３に示されるように、ペッサリー装置１０は、凸部１１０を含む頂部１００、凸部１３０を含む底部１２０、凹部１５０を含む側部１４０を有することができる。図３に示されるように、ペッサリー装置１０は、外壁２５０と、内壁２４０によって画定され、領域２２０で中空である内部２００とを有することができる。中空領域２２０を、一方の端部又は両方の端部に提供することができる。更に、ペッサリー装置１０は、中実である内部２００の部分を有することができる。
【００２６】
図４はペッサリー装置１０を示す。ペッサリー装置１０は、上部２０、下部３０、中部４０、上部２０の圧力領域５０、下部３０の圧力領域６０、最大直径Ｄ１、最小直径Ｄ２、上部２０から中部４０まで延在する傾斜部８０、中部４０から下部３０まで延在する傾斜部９０、及び両方の端部と交差する長手方向軸（Ｌ）を含む。図４に示されるように、ペッサリー装置１０は、凸部１１０を含む頂部１００、凸部１３０を含む底部１２０、凹部１５０を含む側部１４０を有することができる。図４に示されるように、ペッサリー装置１０は、中空である内部２００を有することができる。ペッサリー装置は、内部２００及び中空領域２２０を画定する内壁２４０を有する。更に、内壁２４０は、外壁２５０と同一又は類似の外形を有してもよい。
【００２７】
図５は、ペッサリー装置１０を示す。ペッサリー装置１０は、上部２０、下部３０、中部４０、上部２０の圧力領域５０、下部３０の圧力領域６０、最大直径Ｄ１、最小直径Ｄ２、上部２０から中部４０まで延在する傾斜部８０、中部４０から下部３０まで延在する傾斜部９０、及び両方の端部と交差する長手方向軸（Ｌ）を含む。図５に示されるように、ペッサリー装置１０は、凸部１１０を含む頂部１００、凸部１３０を含む底部１２０、凹部１５０を含む側部１４０を有することができる。図５に示されるように、ペッサリー装置１０は、中空である内部２００を有する。ペッサリー装置は、内部２００及び中空領域２２０を画定する内壁２４０を有する。中空領域２２０は、内壁２４０によって画定される第１の外形、及び外壁２５０によって画定される、異なる外形を有してもよく、ここでは中空領域２２０はチューブの形態である。
【００２８】
図６はペッサリー装置１０を示す。ペッサリー装置１０は、上部２０、下部３０、中部４０、上部２０の圧力領域５０、下部３０の圧力領域６０、上部２０から中部４０まで延在する傾斜部８０、中部４０から下部３０まで延在する傾斜部９０、及び長手方向軸（Ｌ）を含む。図６に示されるように、ペッサリー装置１０は、凸部１１０を含む頂部１００、凸部１３０を含む底部１２０、凹部１５０を含む側部１４０を有することができる。ペッサリー装置は、可撓性領域１６０も有することができる。ペッサリー装置１０は、中空である内部２００を有することができる。加えて、図６に示されるように、ペッサリー装置１０は、頂部１００及び／又は底部１２０のうちの１以上の上に開口部１７０を有することができる。
【００２９】
ペッサリー装置１０は、例えば、図７に示されるように、オーバーラップ３００及び／又は引き抜き部材３１０を含むことができる。加えて、図７は、オーバーラップ３００に引き抜き部材３１０を取り付けることができることを示す。
【００３０】
図８は、オーバーラップ３００上のペッサリー装置１０を示す。オーバーラップ３００は、長手方向軸５４０を有する。オーバーラップ３００は、いずれかの端部２５２、２５４において、オーバーラップの長手方向軸５４０に沿ってペッサリー装置１０を超えてもよい。
【００３１】
図９は、オーバーラップ３００の内側に位置付けられたペッサリー装置１０を示す。オーバーラップ３００は、ペッサリー装置１０を収容する中空構造体５６０を形成する。オーバーラップ３００は、ペッサリー装置を被覆し、オーバーラップ余剰部３３０を形成するように、ペッサリー装置１０の長手方向軸に沿ってこれを超える。オーバーラップ余剰部３３０は、束３２０を形成するように束にされる。
【００３２】
図１０は、オーバーラップ３００、具体的には、オーバーラップの中空構造体５４０の内側に位置付けられるペッサリー装置１０を示す。オーバーラップ３００は、ペッサリー装置を被覆し、かつペッサリー装置１０の長手方向軸に沿ってこれを超える。束３２０は、ペッサリー装置１０の中空の領域２２０の内側である。
【００３３】
図１１Ａ〜図１１Ｄは、内部係合部材への外部開口部の例を示す。係合部材は、三角形６１０、半円６２０、四分円６３０、及び／又は点を有する幾何学的形状６４０とすることができる。係合部材は、オーバーラップと係合することができる。
【００３４】
ペッサリー装置は、例えば、アプリケータの使用など、任意の好適な方式で挿入することができる。図１２は、挿入部材４２０及びプランジャ４４０を含むアプリケータ４１０を示す。挿入部材４２０は、挿入端部４２１、及び挿入端部４２１とは反対側の引き抜き端部４２２を有する。挿入部材４２０は、ペッサリー装置を含むように適応されたバレル領域４５０と、挿入端部４２１とは反対側に提供され、例えば、引き抜き端部４２２に近接した窪み領域４２４とすることができる把持部領域４３０と、もまた含むことができる。把持部領域４３０は、１以上の把持要素４２３を含むことができる。
【００３５】
一般的に、ペッサリー装置は使用経験中に寸法が変わらない。すなわち、ペッサリー装置は、ユーザーによる挿入前、並びに使用中及び取り出し中で、寸法及び直径が同じである。例えば、ペッサリー装置は、その最初の寸法から膨張可能、又は拡張可能でなく、ペッサリー装置は、ユーザーの身体への挿入のために圧縮されず、またユーザーの身体からの引き抜きのためにも圧縮されない。ペッサリー装置の部分又は領域（例えば、最小直径を有する領域など）は曲がってもよく、又は変形されてもよいが、ペッサリー装置は拡張せず、変形の後はその最初の形状に戻る。このため、ペッサリー装置は、ユーザーに対して、使用中（例えば、挿入前若しくは後、又は引き抜き前）にペッサリー装置の寸法若しくは形状の変更を要求するいずれかの機械的手段又は他の手段を含まない。これは、引き抜き時に、使用中と同じ寸法を有するペッサリー装置を提供し、これは使用中及び引き抜き時に、改善された快適性を提供することができる。
【００３６】
ペッサリー装置は、膣壁を通じて尿道に圧力を提供するために、例えば、底部又は頂部においてなど、消費者の前膣壁と後膣壁との間に延びて、ペッサリーの最大直径を有する圧力領域を有することができる。加えて、ペッサリー装置は、最小直径と比較して、増加した直径を有している、第２の圧力領域を有することができ、この第２の圧力領域は、第１の圧力領域から離れた地点において、ユーザーの膣壁を通じて尿道に圧力を提供することができる。第１の圧力領域と第２の圧力領域とは、任意の好適な距離だけ、例えば、少なくとも約５ｍｍ、少なくとも約１０ｍｍ、少なくとも約１５ｍｍ、少なくとも約２０ｍｍ、少なくとも約２５ｍｍ、少なくとも約３０ｍｍ、少なくとも約３５ｍｍ、少なくとも約４０ｍｍ、少なくとも約４５ｍｍ、少なくとも約５０ｍｍ、又はいずれか他の好適な距離だけ離すことができる。
【００３７】
ペッサリー装置は、例えば、２つの圧力領域、例えば、４つ以下の圧力領域、３つ以下の圧力領域、２つ以下の圧力領域、１つの圧力領域、又は任意の他の好適な数の圧力領域などの、任意の好適な数の圧力領域を備えることができる。
【００３８】
圧力領域は、（例えば、葉又は他の突出部を含め）ユーザーの膣壁に圧力を提供する任意の好適な形状（例えば、凸状の形など）とすることができる。圧力領域は、実質的に円形の断面を有することができる。ペッサリー装置は、可撓性領域において曲げ又は移動を可能にすることによって、ペッサリー装置に可撓性を提供することができる可撓性領域である、最小直径領域も含むことができる。可撓性領域は、例えば、凹状、凹凸のある形状などの、任意の好適な形状とすることができ、例えば、実質的に円形の断面など、任意の好適な断面を有することができる。ペッサリー装置は、２つの圧力領域の間に提供される可撓性領域を含むことができる。
【００３９】
尿道に対する最大圧力及び最大尿道閉鎖は、例えば、米国特許出願公開第２００７／００２７６６７号に記載されている計算モデルを使用することによるなどの、任意の好適な方法を使用して測定することができる。例えば、ヒトの骨盤内部の環境をシミュレーションする計算モデルを使用することができる。特定の実施形態では、シミュレーションでは、膣に向かって後壁上及び身体の中央で矢状面上の両方である、尿道上の１３のノードを選択することができる。最初の点が尿道の底面縁部にあり、最後の点が膀胱頸部にあるように、点は尿道の長さに沿って均等に広がっている必要がある。ノード対時間対ミーゼス応力は、例えば、ＬＳ−Ｐｒｅｐｏｓｔなど、好適なソフトウェアプログラムを使用して選択された全てのノードに関して得る必要がある。次いで、データカラムを一致させて、ｙ位置対時間対ミーゼス応力を決定する。一般的に、シミュレーションの最終点にあるデータのみが選択される必要があり、ｙ位置対ミーゼス応力が次いでプロットされる。
【００４０】
他方では、可撓性領域は、圧力領域よりも可撓性であり、かつ圧力領域よりも小さい抵抗を提供する。可撓性領域の追加は、ペッサリー装置が横方向においてと同様に、長手方向軸においても曲がるのを可能にする。例えば、力が頂部から底部へ長手方向軸に沿ってかかるとき、３．４５ｋＰａ（０．５ｐｓｉ）下で測定された場合、ペッサリー装置を約１ｃｍを超えて圧縮することができる。更に、又は別の方法として、可撓性領域は、ペッサリー装置が左右に曲がるのを容易にする曲げ領域を提供することができる。
【００４１】
ペッサリー装置は、一体型の構成体とすることができる。例えば、ペッサリー装置は、ペッサリー装置の外面全体を画定する、連続的な外側シェルを含むことができる。外側シェルは平滑又は非平滑とすることができる。外側シェルは、例えば、穴、孔、又は他の好適な外部開口部を含むことなどによって、流体に対して透過性であってもよい。あるいは、外側シェルは、流体が装置に入ることができないように、流体に対して不透過性とすることができる。加えて、ペッサリー装置は、頂部及び／又は底部に外部開口部を含むことができる。ペッサリー装置は頂部及び／又は底部に外部開口部を含むことができ、かつ外側シェルは頂部及び／又は底部の外部開口部を通る以外は、流体が装置に入ることができないように、流体不透過性である。
【００４２】
開口部は、例えば、約０．０１ｍｍ２〜約９００ｍｍ２の面積、約０．１ｍｍ２〜約５００ｍｍ２の面積、約１ｍｍ２〜約３５０ｍｍ２の面積、約５ｍｍ２〜約１００ｍｍ２の面積、約１０ｍｍ２〜約１００ｍｍ２の面積、約１５ｍｍ２〜約５０ｍｍ２の面積、又は約２０ｍｍ２〜約３０ｍｍ２の面積などの任意の好適な寸法とすることができる。
【００４３】
内部への開口部は、内部係合部材への外部開口部を有してもよい。係合部材は、三角形、半円、四分の一円、及び／又は点を有する幾何学的形状とすることができる。係合部材は、オーバーラップと係合することができる。
【００４４】
好適なペッサリー装置は、中実とすることも、又は中空の内部、すなわち空洞を有することもできる。中空の装置に関して、ペッサリー装置は装置の合計面積を画定する外周部、及び装置の開放面積を画定する内周部を有することができる。開放面積は任意の好適な寸法、例えば、合計面積の約５％〜約９５％など、例えば、合計面積の約１０％〜約９０％など、合計面積の約１５％〜約８５％、又は合計面積の約２０％〜約８０％などとすることができる。加えて、ペッサリー装置はペッサリーの形状を維持するのに好適な肉厚も有することができる。肉厚は、例えば、約１ｍｍ、約２ｍｍ、約３ｍｍ、約４ｍｍ、約５ｍｍ、又はそれより大きいなど、約０．５ｍｍよりも大きくすることができる。壁厚はペッサリー装置の長さに沿って、及び／又はペッサリー装置の周囲において一定とすることができ、又は様々とすることができる。
【００４５】
ペッサリー装置は、長手方向軸に沿って様々な直径を有する任意の好適な形状、例えば、長手方向軸に対して対称である様々な直径を有する形状、例えば、涙滴、林檎、梨、砂時計、腰部がくびれた円筒、数字の８の形状、ピーナッツ形状、ハートの形状、電球の形状、ボトル形状、壺の形状、又は任意の他の好適な形状を有することができる。更に、形状は様々な直径を有することができ、並びに長手方向軸及び横方向軸に対して対称である、例えば、砂時計、腰部のくびれた円筒、数字の８の形状、ピーナッツの形状、又は任意の他の好適な形状を有することができる。あるいは、ペッサリー装置は、非対称の形状、例えば、Ｂ形状又はＰ形状を有してもよい。ペッサリー装置は、例えば、対称的な圧力領域と、非対称的な可撓性領域とを有するなど、ペッサリー装置は、１つの領域において対称であり、他の領域で非対称とすることができる。概して、ペッサリー装置は、ユーザーの尿道に沿って異なる圧力を提供することができる異なる直径を有することができる。例えば、ペッサリー装置は、圧力領域に一致することができる凸部を有することができる。加えて、ペッサリー装置は凹部領域であり得る最小直径領域を有することができる。凹部領域は、可撓性領域に対応することができる。
【００４６】
ペッサリー装置は砂時計の形状とすることができる。例えば、図２に示されるように、ペッサリー装置は、ウエストライン部によって一緒に結合された上部及び下部を有することができ、上部及び下部は、両方ともウエストライン部の直径よりも大きい直径を有しており、これによりペッサリー装置は概して砂時計の構成を有する。この構成において、ペッサリー装置の上部は頂部を有することができ、ペッサリー装置の下部は底部を有することができ、ペッサリー装置は、頂部及び底部をウエストライン部に結合する、傾斜した上方壁区分及び下方壁区分を有することができる。加えて、ウエストライン部は、ペッサリー装置の最小直径を含むことができる。上部と下部とは、概して同等の最大直径を有することができ、又は、例えば、上部が下部よりも大きい最大直径を有する場合、又は下部が、上部よりも大きい最大直径を有する場合など、上部と下部とは異なる最大直径を有することができる。
【００４７】
概して、ペッサリー装置は少なくとも１つの最大直径及び少なくとも１つの最小直径を含み、最小直径は、最大直径よりも小さい。ペッサリー装置は、最大直径を有する第１の部分、最大直径を有する第２の部分、及び、最小直径を有する第３の部分を含むことができる。第１の部分の最大直径と第２の部分の最大直径とは、ペッサリー装置の長さの約１０％より大きい距離、例えば、約５ｍｍより大きい、約１０ｍｍより大きい、約１５ｍｍより大きい、約２０ｍｍより大きい、約２５ｍｍより大きい、約３０ｍｍより大きい、約３５ｍｍより大きい、約４０ｍｍより大きい、約４５ｍｍより大きい、又はこれよりも大きい距離だけ分離することができる。ペッサリー装置は、中部尿道、膀胱頸部、又はその両方で圧力を提供することができる。加えて、ペッサリー装置は、中部尿道、膀胱頸部、又は両方において、より高い圧力を提供することができ、かつ中部尿道と膀胱頸部との間の区域において、より低い圧力を提供する。例えば、圧力領域は、可撓性領域によって提供される圧力よりも、例えば、約３０％高い、約３５％高い、約４０％高い、約４５％高い、約５０％高い、約５５％高い、約６０％高い、又はそれよりも高いレベルなど、約２５％高いレベルで圧力を提供することができる。
【００４８】
ペッサリー装置は、最大直径から最小直径までの傾斜部を有することができる。例えば、約０．２５ｍｍ、約０．５ｍｍ、約０．７５ｍｍ、約１ｍｍ、約１．５ｍｍ、約２ｍｍ、約２．５ｍｍ、約３ｍｍ、約４ｍｍ、約５ｍｍ、約６ｍｍ、約７ｍｍ、約８ｍｍ、又はそれよりも大きい、例えば、約０．２５ｍｍ〜約５ｍｍの傾斜、又は約０．５ｍｍ〜約４ｍｍの傾斜、又は任意の他の好適な範囲などの、任意の好適な傾斜を使用することができる。
【００４９】
好適なペッサリー装置は典型的に、従来のペッサリー装置よりも寸法が小さい。例えば、このペッサリー装置は、従来のペッサリー装置のものよりも小さい最大直径、長さ、及び／又は容積を有する。
【００５０】
ペッサリー装置は、例えば、約１０ｍｍ〜約３５ｍｍ、約１０ｍｍ〜約２５ｍｍ、約１３ｍｍ〜約２５ｍｍ、又は約１５ｍｍ〜約２２ｍｍの最大直径を含む、例えば、３５ｍｍ未満、例えば、３４ｍｍ未満、３３ｍｍ未満、３２ｍｍ未満、３１ｍｍ未満、３０ｍｍ未満、２９ｍｍ未満、２８ｍｍ未満、２７ｍｍ未満、２６ｍｍ未満、２５ｍｍ未満、２４ｍｍ未満、２３ｍｍ未満、２２ｍｍ未満、２１ｍｍ未満、２０ｍｍ未満、１９ｍｍ未満、１８ｍｍ未満、１７ｍｍ未満、１６ｍｍ未満、１５ｍｍ未満、１４ｍｍ未満、１３ｍｍ未満、１２ｍｍ未満、１１ｍｍ未満、１０ｍｍ未満の最大直径など、任意の好適な最大直径を有することができる。最大直径、又は最大幅は典型的に、長手方向軸に実質的に垂直なペッサリー装置の最大幅部分において測定される。
【００５１】
ペッサリー装置は、最大直径の約４０％〜約９５％小さい最小直径、最大直径の約４０％〜約９０％、最大直径の約４０％〜約８５％、最大直径の約４０％〜約８０％、最大直径の約４５％〜約７５％、又は最大直径の約５０％〜約７０％、例えば、最大直径の約４５％小さい最小直径、最大直径の約５０％、最大直径の約５５％、最大直径の約６０％、最大直径の約６５％、最大直径の約７０％小さい最小直径を含め、最大直径よりも小さい任意の好適な最小直径を有することができる。
【００５２】
ペッサリー装置は、約４ｍｍ〜約２８ｍｍ、約５ｍｍ〜約２０ｍｍ、約８ｍｍ〜約２０ｍｍ、約８ｍｍ〜約１８ｍｍ、又は約８ｍｍ〜約１５ｍｍ、例えば、約８ｍｍ、約８．５ｍｍ、約９ｍｍ、約９．５ｍｍ、約１０ｍｍ、約１０．５ｍｍ、約１１ｍｍ、約１１．５ｍｍ、約１２ｍｍ、約１２．５ｍｍ、約１３ｍｍ、約１３．５ｍｍ、約１４ｍｍ、約１４．５ｍｍ、約１５ｍｍ、約１５．５ｍｍ、約１６ｍｍ、約１６．５ｍｍ、約１７ｍｍ、約１７．５ｍｍ、約１８ｍｍ、約１８．５ｍｍ、約１９ｍｍ、約１９．５ｍｍ、又は約２０ｍｍの最小直径、あるいは任意の他の好適な最小直径を有することができる。最小直径、又は幅は典型的に、長手方向軸に実質的に垂直なペッサリー装置の最も狭い部分において測定される。
【００５３】
最大直径及び最小直径は、例えば、約５ｍｍ、約１０ｍｍ、約１５ｍｍ、約２０ｍｍ、約２５ｍｍ、約３０ｍｍ、約３５ｍｍ、約４０ｍｍ、約４５ｍｍ、約５０ｍｍなど、又は任意の他の好適な距離など、任意の好適な距離だけ、分離することができる。
【００５４】
ペッサリー装置は、例えば、約３５ｍｍ〜約６０ｍｍ、約４０ｍｍ〜約５５ｍｍ、又は約４０ｍｍ〜約５０ｍｍ、例えば、約３５ｍｍ、約３６ｍｍ、約３７ｍｍ、約３８ｍｍ、約３９ｍｍ、約４０ｍｍ、約４１ｍｍ、約４２ｍｍ、約４３ｍｍ、約４４ｍｍ、約４５ｍｍ、約４６ｍｍ、約４７ｍｍ、約４８ｍｍ、約４９ｍｍ、又は約５０ｍｍなど、任意の好適な長さを有することができる。長さは典型的に、ペッサリー装置の長手方向軸に実質的に並行に測定される。
【００５５】
一般的に、ペッサリー装置は、例えば、約１グラム〜約７グラム、又は約２グラム〜約６グラム、約３グラム〜約５グラムの重量を含む、約１０グラム未満、約９グラム未満、約８グラム未満、約７グラム未満、約６グラム未満、約５グラム未満、約４グラム未満、約３グラム未満、約２グラム未満又は約１グラム未満の重量を有することができる。
【００５６】
ペッサリー装置は、任意の好適な材料及び方法を使用して製作することができる。例えば、ペッサリーは、例えば、ポリカーボネート、ポリエステル、ポリエチレン、ポリアクリルアミド、ポリホルムアルデヒド、ポリメチルメタクリレート、ポリプロピレン、ポリテトラフルオロエチレン、ポリトリフルオロクロロエテン、ポリ塩化ビニル、ポリエチレン、ナイロン、シリコ−ン、又はそれらの混合物若しくはブレンドなどの高分子材料、又は金属材料から形成することができる。
【００５７】
ペッサリー装置は、例えば、射出成形などの、任意の好適な方式で、又はペッサリー装置を形成する他の好適な方法を使用して形成することができる。
【００５８】
ペッサリー装置は、オーバーラップによって被覆される。オーバーラップは、非吸収性又は吸収性とすることができ、例えば、天然繊維、合成繊維、又は天然繊維及び合成繊維のブレンドを含む、繊維性不織布材料などの任意の好適な材料を含むことができる。好適な合成繊維は、ポリエステル、ポリオレフィン、ナイロン、ポリプロピレン、ポリエチレン、ポリアクリル、酢酸セルロース、ポリヒドロキシアルカノエート、脂肪族エステル重縮合物、バイコンポーネント繊維、及び／又はそれらの混合物を含むことができる。天然繊維は、例えば、レーヨン、及び非合成であると一般的に既知であるもの、並びに綿などの天然由来のものを含むことができる。繊維は、例えば、円形、三葉、多葉、デルタ、中空、リポン形状、及び／又は任意の他の好適な形状、あるいはこれらの混合物などの、任意の好適な断面形状を有することができる。約１〜約３０マイクロメートルなど、約１０マイクロメートル〜約２５マイクロメートルなどの、例えば、約０．５〜約５０マイクロメートルなどの任意の好適な直径を有する繊維を使用することができる。繊維直径は、任意の好適な手段を使用して測定されてもよい。しかしながら、非円形繊維については、一般的に直径は、非円形繊維と同じ断面積を備えている繊維の直径を参照して決定することができる。
【００５９】
オーバーラップは、任意の数の好適な技法によって作製することができ、任意の好適な坪量を有することができる。好適な技法としては、例えば、カーディング、メルトブローイング、スパンボンディング、スパンレーシング、エアレイイング等が挙げられる。例えば、オーバーラップは、例えば、熱接合、超音波接合、樹脂接合、又はスルーエア接合、水流交絡、及び／又は穿刺などの接合方法を使用して形成することができる。オーバーラップの坪量は、例えば、平方メートル当たり約１０〜約６０グラム（ｇｓｍ）、例えば、約１５〜約３０ｇｓｍなどの、任意の好適な重量とすることができる。加えて、オーバーラップは親水性又は疎水性とすることができる。オーバーラップは、弾性体であってもよい。オーバーラップは、熱又は赤外線に露出されたとき、収縮可能であってもよい。
【００６０】
オーバーラップは、任意の様々な手段によってペッサリー装置に結合することができる。オーバーラップは、それ自体に結合することも、又はペッサリー装置に結合することもできる。例えば、オーバーラップの１つの部分は、オーバーラップ又はペッサリー装置の対向する部分に、任意の好適な接着剤、熱、真空、空気、圧力接合、及び／又は機械的な手段を使用して結合することができる。このような接着剤は、取り付けの長さに沿って連続的に延びることができ、又は接着剤は、非連続的な方式で個別の間隔で塗布することができる。熱接合は、熱的接合、溶融結合、又はこのような材料を結合するための任意の他の好適な手段を含む。オーバーラップを、中空構造体を形成するように、オーバーラップ自体に結合することができる。中空構造体は、例えば、円筒、トンネル、チューブ、立方体、及び／又は錐体などの、任意の多次元の幾何学的構造の形態であってもよい。
【００６１】
ペッサリー装置の少なくとも一部は、オーバーラップの中空構造体の内側に定置されてもよい。オーバーラップの中空構造体を、ペッサリー装置に被せてもよい。ペッサリー装置の長手方向軸に沿ってペッサリー装置を包むことによって、オーバーラップをペッサリー装置に被せることができる。ペッサリー装置がオーバーラップの中空構造体の内側に定置されるとき、オーバーラップを、長手方向軸に沿ってペッサリー装置を転がすことによって、ペッサリー装置に被せてもよい。オーバーラップの中空構造体の長手方向軸に沿ってペッサリー装置を移動させることによって、オーバーラップをペッサリー装置に被せてもよい。オーバーラップの中空構造体をペッサリー装置の長手方向軸に沿って移動させることによって、オーバーラップをペッサリー装置に被せてもよい。
【００６２】
オーバーラップの中空構造体は、オーバーラップの余剰分を形成するように、ペッサリー装置を、いずれかの端部において、長手方向で、例えば、約０．５ｍｍ、約１ｍｍ、約１．５ｍｍ、約２ｍｍ、約２．５ｍｍ、約３ｍｍ、約３．５ｍｍ、約４ｍｍ、約４．５ｍｍ、約５ｍｍ、約５．５ｍｍ、約６ｍｍ、約６．５ｍｍ、約７ｍｍ、約７．５ｍｍ、約８ｍｍ、約８．５ｍｍ、約９ｍｍ、約９．５ｍｍ、約１０ｍｍ、約１０．５ｍｍ、約１１ｍｍ、約１１．５ｍｍ、約１２ｍｍ、約１２．５ｍｍ、約１３ｍｍ、約１３．５ｍｍ、約１４ｍｍ、約１４．５ｍｍ、約１５ｍｍ、約１５．５ｍｍ、約１６ｍｍ、約１６．５ｍｍ、約１７ｍｍ、約１７．５ｍｍ、約１８ｍｍ、約１８．５ｍｍ、約１９ｍｍ、約１９．５ｍｍ、又は約２０ｍｍ、約２０．５ｍｍ、約２１ｍｍ、約２１．５ｍｍ、約２２ｍｍ、約２２．５ｍｍ、約２３ｍｍ、約２３．５ｍｍ、約２４ｍｍ、約２４．５ｍｍ、約２５ｍｍ、約３０ｍｍ、約４０ｍｍ、約５０ｍｍ、約６０ｍｍ、約７０ｍｍ、約８０ｍｍ、約９０ｍｍ、そして最高１００ｍｍの長さだけ、などのように、約０．５ｍｍ〜約１００ｍｍ上回ってもよい。オーバーラップの中空構造体は、ペッサリー装置を、横軸で、外面から、例えば、１ｍｍ、１０ｍｍ、２０ｍｍ、３０ｍｍ、４０ｍｍ、５０ｍｍ、６０ｍｍ、７０ｍｍ、８０ｍｍ、９０ｍｍ、１００ｍｍなどのように、約１ｍｍ〜２００ｍｍだけ上回ってもよい。
【００６３】
オーバーラップ余剰部は、１以上の束を形成するようにともに束にされてもよい。束は、空気の使用、ピン、機械的な手段、真空、及び／又はこれらの組み合わせを含む、一般的に既知の任意の手段によって形成されてもよい。オーバーラップの中空構造体の余剰部の束は、ペッサリー装置内部の内側に位置してもよい。オーバーラップの余剰分及び／又は束は、熱、真空、空気、接着剤、機械的な手段、及び／又はこれらの組み合わせなどの、しかしこれに限定されない、一般的に既知の任意の手段を使用して、ペッサリー装置の空洞の内側に位置してもよい。一実施形態では、２つ以上の束が、ペッサリー装置内部の内側に定置してもよい。
【００６４】
ペッサリー装置内部の内側に定置されると、束をペッサリー装置内部の内側に維持することができる。摩擦の使用、接着剤の使用、熱の使用、機械的な手段の使用、及び／又はこれらの組み合わせを通して、束をペッサリー装置内部の内側に維持することができる。
【００６５】
オーバーラップは、ペッサリー装置に適合するように操作されてもよい。オーバーラップの操作は、１以上のより糸を使用して、ペッサリー装置の横断方向及び／又は長手方向軸を中心として、生じてもよい。より糸をペッサリー装置に結びつけてもよい。より糸をオーバーラップ及び／又はペッサリー装置に縫いつけてもよい。
【００６６】
ペッサリー装置を被覆する間、オーバーラップの端部のうち少なくとも１つを定着し、そして装置を長手方向軸に沿って回転することによってオーバーラップを操作することによって、オーバーラップを操作してもよい。オーバーラップを摩擦、接着剤の使用、熱の使用、及び／又はこれらの組み合わせによって定着してもよい。
【００６７】
オーバーラップの中空構造体を伸張してペッサリー装置に被せ、ペッサリー装置の形状まで収縮できるようにすることによって、オーバーラップを操作してもよい。被せたペッサリー装置の形状とマッチするために、オーバーラップの中空構造体を変形するように、オーバーラップを操作してもよい。オーバーラップの操作は、機械的な手段、力、熱、赤外線、マイクロ波、レーダー、超音波、蒸気、化学反応、及び／又はこれらの組み合わせなどの、一般的に既知の任意の手段によって生じてもよい。
【００６８】
ペッサリー装置に適合するように１以上の取り付け点を生成することによってオーバーラップを操作してもよい。取り付け点は、熱及び／又は接着剤によって生成されてもよい。取り付け点は、端部を含むペッサリー装置の任意の部分に、長手方向軸に沿って、及び横軸に沿って位置付けられてもよい。取り付け点を、四分円、三角形、又は任意の他の既知のパターンに形成してもよい。
【００６９】
ペッサリー装置は、例えば、綿、セルロース、レーヨン、例えば、ポリエチレン若しくはポリプロピレンなどのポリオレフィン、ナイロン、絹、ポリテトラフルオロエチレン、Ｔｅｆｌｏｎ、ワックス、又は任意の他の好適な材料を含め、任意の好適な材料を含むことができる引き抜き部材を含むことができる。
【００７０】
引き抜き部材は、任意の好適な形成方法によって、並びに任意の好適な形状、例えば、１本以上のコード、糸、指用カバー、リボン、装置の材料の延長部、又はこれらの組み合わせに形成することができる。
【００７１】
ペッサリー装置は、アプリケータを使用せずに挿入することができる。ペッサリー装置は、１本以上のユーザーの指をデジタル的に使用して挿入することができる。
【００７２】
ペッサリー装置は、挿入部材及びプランジャを含むことができるアプリケータを使用して挿入することができる。挿入部材は、挿入端部、及び、挿入端部とは反対側の引き抜き端部を有することができる。挿入部材は、ペッサリー装置を含むように適応されたバレル領域と、例えば、引き抜き端部に近接するような、挿入端部とは反対側に提供される、窪み領域とすることができる把持部領域と、を含むこともできる。
【００７３】
挿入部材及び／又はプランジャは任意の好適な材料から作製することができる。好適な材料としては、例えば、紙、板紙、厚紙、成形セルロースなどのセルロース、又はこれらの任意の組み合わせ、ポリエチレン、ポリプロピレン、ポリブチレン、ポリスチレン、ポリ塩化ビニル、ポリアクリレート、ポリメタクリレート、ポリアクリロニトリル、ポリアクリルアミド、ポリアミド、ナイロン、ポリイミド、ポリエステル、ポリカーボネート、ポリ乳酸、ポリヒドロキシアルカノエート、エチレンビニルアセテート、ポリウレタン、シリコーン、これらの誘導体、これらのコポリマー、これらの混合物、又は任意の好適な平滑なプラスチック材料が挙げられる。好適な材料の例は、例えば、米国特許第５，３４６，４６８号、及び同第５，５５８，６３１号に開示される。特定の材料特性を変化又は向上させるために、材料内に添加剤を含ませることができる。好適な添加物としては、例えば、金型離型剤、スリップ剤、表面エネルギー変性剤、パールエッセンス剤、及び／又は任意のその他の好適な添加剤が挙げられる。挿入部材は、挿入部材に高いスリップ特性を付与する物質、例えば、ワックス、ポリエチレン、ワックスとポリエチレンとの組み合わせ、セロハン、粘土、雲母及び快適な挿入を容易にすることができるその他の潤滑剤などでコーティングすることも、又は代替としてコーティングすることもできる。あるいは、又は追加で、挿入部材は非平滑化表面を含むことができる。テクスチャは、任意の好適な方式で、例えば、テクスチャを内部にデザインすることによって、又は挿入部材にテクスチャを追加することによって提供することができる。
【００７４】
挿入部材は、例えば、窪み領域などの、把持部領域を含むことができる。把持部領域は複数の三次元の表面要素、例えば、突起、リング、隆起部、リブ、エンボス加工、凹部、溝、及び／又は他の把持構造体を有することができる。三次元表面要素は、例えば、材料の添加によって、及び／又は、例えば、表面のエンボス加工若しくは圧縮によってなどの、刻印によって、任意の好適な方式で提供することができる。例えば、窪み領域は、１つ又は２つ以上の平坦化された面、及び／又は装飾的なマーク若しくはキャラクターのための１つ又は２つ以上のスペース（例えば、エンボス加工された及び／又は印刷されたマーク若しくはキャラクターなど）を含むことができる。加えて、又は別の方法として、窪み領域の表面は、アプリケータを体内へ挿入する間に、ユーザーの指に対して摩擦抵抗を提供することができる材料を含むことができる。摩擦を提供することができる好適な材料としては、例えば、研磨材、高湿潤摩擦係数材料、感圧性接着剤、又はこれらの任意の組み合わせが挙げられる。
【００７５】
ペッサリー装置は毎日使用することができる。例えば、ユーザーはペッサリー装置を挿入し、例えば、最高４時間、最高５時間、最高６時間、最高７時間、最高８時間、最高９時間、最高１０時間、最高１１時間、最高１２時間、最高１６時間まで、又はそれよりも長くなどの好適な着用時間の間ペッサリー装置を着用し、ペッサリー装置を取り出し、ペッサリー装置を廃棄し、新しいペッサリー装置を挿入することができる。
【００７６】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００７７】
「発明を実施するための形態」で引用する全ての文献は、関連部分において本明細書に参照により組み込まれるが、いずれの文献の引用も、それが本発明に関する先行技術であることを容認するものとして解釈されるべきではない。本明細書中の用語の任意の意味又は定義が、参照により組み込まれた意味又は定義を適用する。
【００７８】
文献中の同一用語の任意の意味又は定義と相反する限りにおいては、本明細書においてその用語に与えられた本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
0005933833.tif 000002
【図２Ａ】
0005933833.tif 000003
【図２Ｂ】
0005933833.tif 000004
【図３】
0005933833.tif 000005
【図４】
0005933833.tif 000006
【図５】
0005933833.tif 000007
【図６】
0005933833.tif 000008
【図７】
0005933833.tif 000009
【図８】
0005933833.tif 000010
【図９】
0005933833.tif 000011
【図１０】
0005933833.tif 000012
【図１１Ａ】
0005933833.tif 000013
【図１１Ｂ】
0005933833.tif 000014
【図１１Ｃ】
0005933833.tif 000015
【図１１Ｄ】
0005933833.tif 000016
【図１２】
0005933833.tif 000017